(57)【要約】【課題】金融機関等における取引時に使用する通帳を管理する自動取引装置において、通帳搬送時に、ジャムを減少させる手段、セキュリティを向上させる手段、発行の際に印字ミスをなくす手段、ページ情報の読み取りを向上させる手段を提供すること。【解決手段】金融機関等の通帳において、店番・科目・口座番号・ページ番号等の情報を非接触式の記憶媒体で管理し、また、自動取引装置においてはＭＳのリーダライタ・バーコードリーダの代わりに非接触式記憶媒体のリーダライタ部を具備させる。【選択図】　図６
2004062703.tif 000002
【特許請求の範囲】
【請求項１】
非接触式記憶媒体付通帳を挿入・搬送・排出する手段と、前記非接触式記憶媒体に店番・科目・口座番号・印字済行等の個人情報を読み書きする手段と、前記個人情報を上位装置と通信する手段と、前記非接触式記憶媒体付通帳の表紙・見開きページ・各取引ページに印字する手段とを具備した、通帳の発行、通帳への印字、入出金等勘定業務の取引をすることを特徴とする自動取引装置。
【請求項２】
通帳新規発行時、通帳表紙部の前記非接触式記憶媒体１に店番・科目・口座番号・氏名等の表紙情報を書き込む手段と、見開きページに店番・口座番号・氏名・発行日等の情報を書き込む手段と、各取引ページ部の前記非接触式記憶媒体２に科目・ページ番号を書き込む手段を有し、該通帳を利用者に発行することを特徴とする前記請求項１記載の自動取引装置。
【請求項３】
通帳取引時、前記非接触式記憶媒体１及び２で保持する店番・科目・口座番号・印字済行等個人情報を読み取り、該店番・科目・口座番号・印字済行等個人情報を上位装置に送信することを特徴とする前記請求項１記載の自動取引装置。
【請求項４】
取引終了時、前記請求項１記載の非接触式記憶媒体付通帳へ取引結果を印字すると共に、前記非接触式記憶媒体２に残高・印字済行等前記取引結果を書き込み、利用者に返却することを特徴とする前記請求項１記載の自動取引装置。
【請求項５】
通帳繰越発行時、前記請求項２と同様、通帳表紙部の前記非接触式記憶媒体１に店番・科目・口座番号・氏名等の表紙情報と、見開きページに店番・口座番号・氏名・発行日等の情報を書き込む手段と、前記各取引ページ部の非接触式記憶媒体２に科目・ページ番号を保持させると共に、繰越情報を前記非接触式記憶媒体２に書き込み利用者に発行することを特徴とする前記請求項１記載の自動取引装置。
【請求項６】
前記通帳繰越発行において、満行となった通帳の前記非接触式記憶媒体１及び２に無効情報を書き込み、使用不能とし利用者に返却することを特徴とする前記請求項１記載の自動取引装置。
【発明の詳細な説明】
【０００１】
【発明の属する技術分野】
本発明は金融機関等における取引時に使用する通帳に対し店番・科目・口座番号・印字済行等を非接触式記憶媒体で管理する技術に係り、特に通帳の発行、取引時の通帳への印字、データの読み書き等の手段を用いて、通帳を管理する方法および自動取引装置に関する。
【０００２】
【従来の技術】
従来、金融機関で使用する通帳は、特開２００１−１１０００３号公報に記載されているように、店番・科目・口座番号などの顧客情報を磁気ストライプ（以下ＭＳと略す）に書き込み発行する。ＭＳ方式では、ＭＳに厚みがあるために特に科目数を増やした通帳ではＭＳの本数も増加し、通帳発行装置において上下通帳の表裏ＭＳが干渉し合いジャムが起き易くなる他、見た目が不恰好でもある。また、データ管理容量の観点からは総合口座通帳として扱うことのできる科目数に制限があるという問題もあった。
【０００３】
セキュリティ面では、ＭＳは磁気を用いているため外部からのデータ解読が比較的容易であったり、磁気を近づけることによるデータ破壊という観点からも問題であった。また、表面積が大きいことによる物理的な変形についても懸念されていた。
【０００４】
通帳のページ情報に関しては、現在バーコードで管理しているが、このバーコードを読み取るセンサにホコリなどが付着した場合読み取り不正が発生する為、定期的に清掃する必要がある。また従来の取引装置においては、ＭＳリーダライタとバーコードリーダの２つの読み取り機を有する必要があり、装置の小型化に限界がある。
【０００５】
以上の観点から、特許番号第２６９５８６９号公報記載のようにＩＣカードでなる電子通帳を用いることによって、通帳自体を廃止する方式もあるが、入出金等の取引結果を紙媒体に残し、即座に目で確認したいという顧客要求に対しては有効な手段ではない。
【０００６】
また、金融機関等で用いる通帳において非接触方式でデータの送受信をする方式として特開平１１−３０６３０８号公報記載のような例もあるが、これはＩＣ回路付シートに届出印の印影データや通帳に対する口座番号情報のみを記憶させる方式でありＭＳやバーコードを廃止する機能を有していない。
【０００７】
【発明が解決しようとする課題】
本発明の目的は、上記従来技術の問題点を無くし、前記通帳においてＭＳによる店番・科目・口座番号情報の管理、バーコードによる各ページの情報の管理を廃止し、非接触式記憶媒体にて従来ＭＳやバーコードにて管理していた全ての情報を管理する運用方法および自動取引装置を提供することにある。
【０００８】
【課題を解決するための手段】
上記目的を達成するため、本発明では上位装置と接続された自動取引装置を用い、該装置においては、通帳を挿入・搬送・排出する手段、非接触式記憶媒体に店番・科目・口座番号・印字済行等の情報を読み書きする手段、前記店番・科目・口座番号・印字済行等の情報を上位装置と通信する手段、該通帳に取引結果等を印字する手段を有し、非接触式記憶媒体付通帳を発行、記帳することにより、入出金等勘定業務の取引をすることを特徴としている。
【０００９】
本発明の自動取引装置で用いる前記通帳は、通帳表紙部に非接触式記憶媒体１を有し、店番・科目・口座番号等の情報を保持し、同様に各取引ページには非接触式記憶媒体２を有し、科目・ページ番号を保持し、該取引装置の非接触式記憶媒体リーダライタ部を用い全記憶媒体のデータの読み書きを行うことにより通帳としての機能も有することを特徴とする。
【００１０】
【発明の実施の形態】
以下、本発明の実施例を、図面により詳細に説明する。
【００１１】
図１は、本発明が適用される自動取引装置の全体システム構成図である。
【００１２】
図１に示すように、本発明の自動取引システムは、自動取引装置１と中央処理装置３をネットワークＣで接続する構成により、営業店内の自動取引装置１から中央処理装置３へ通帳発行・記帳等の取扱要求を送信４し、中央処理装置３からの通帳発行・記帳等の取扱命令受領５後、自動取引装置１は通帳発行・記帳処理を行う。一方、自動取引装置１を窓口端末２と下位側ネットワークＡで接続し、さらに窓口端末２を中央処理装置３と上位側ネットワークＢで接続する構成もある。この場合、窓口端末２から中央処理装置３へ通帳発行・記帳等の要求６を送信して中央処理装置３からの通帳発行・記帳等の命令を受信７後、自動取引装置１に通帳発行・記帳等の処理を指示８する。
【００１３】
図２は、本発明において、通帳表紙に貼付される非接触式記憶媒体のデータ構成図であり、総合口座通帳であることを前提とした。１科目目のデータ部２１、２科目目のデータ部２２を有する。同様に科目数分だけのデータ部が以降に存在する。
【００１４】
図３は各取引ページに貼付する非接触式記憶媒体のデータ構成図であり、ページ番号・科目の各ページ記憶媒体データ３１から成る。
【００１５】
図４は本発明に属する非接触式記憶媒体付通帳４１の表紙部である。表紙に前記図２の店番・科目・口座番号等の情報を書き込む非接触式記憶媒体４２を貼付している。
【００１６】
図５は、同じく前記記載の非接触式記憶媒体付通帳の取引ページである。前記図３のページ番号・科目を書き込む非接触式記憶媒体５１を貼付している。
【００１７】
図６は、本発明の非接触式記憶媒体付通帳を扱うことのできる自動取引装置である。本発明の自動取引装置６１は、各営業店や出張所などに設置し、中央処理装置３へ通帳の発行・記帳等の処理要求を送信し、中央処理装置３より処理命令を受信する。
【００１８】
自動取引装置６１は、通帳に取引内容等を印字する通帳印字部６２、通帳表紙部記憶媒体４２、ページ部記憶媒体５１の情報を非接触で読み書きする非接触式記憶媒体のリーダライタ部６３、装置外部から通帳を挿入する通帳挿入口６４、その通帳を搬送する通帳搬送路６５、処理を終えた通帳を排出する通帳排出口６６、発行する通帳を収納しておく通帳収納部６７、窓口端末２、中央処理装置３と通信を行うための通信部６８で構成される。
【００１９】
図７は本発明の自動取引装置において、取引の一実施例である通帳発行の処理フローを示した図である。
【００２０】
まず発行可能な自動取引装置１から中央処理装置３へ通帳発行要求を送信する（７０）。それを受け中央処理装置３は通帳発行指令を返送し（７１）、返送された通帳発行命令を受信した自動取引装置１は該当通帳を媒体収納部６７から繰出す（７２）。その後、通帳表紙部の非接触式記憶媒体４２へ店番・科目・口座番号・氏名等の情報を書き込み（７３）、続いて、表紙をめくり見開きページに店番・口座番号・名前等を印字する（７４、７５）。ここで、印字すべき取引が成されていた場合（７６）、取引ページに印字し（７７）、印字済行等の取引情報を表紙部記憶媒体４２に書き込む（７８）。最後に通帳排出口６６から通帳を排出し（７９）、処理を終える。
【００２１】
【発明の効果】
金融機関等における通帳の情報を非接触式記憶媒体で管理することでＭＳの廃止が可能となり、従来の発行・記帳・入出金等の取引時に起き得た装置におけるジャムを減少させる効果がある。またマイクロチップをはじめとする非接触式記憶媒体を使用することで容易にはデータを解読されず、また、物理的な変形に強く、磁気を近づけることによるデータ破壊もないため、セキュリティ面の強化も期待できる。
【００２２】
また、バーコードを廃止することで、リーダ部のほこり等の汚れによる単純な読み取りミスがなくなる為、リーダ部を定期的に清掃する必要もなくなる。
【００２３】
また、通帳表紙部の情報と各ページ部の情報を共に非接触記憶媒体に記憶させる方式としたことにより、従来のＭＳリーダライタとバーコードリーダを単一のリーダライタで扱えるようになり、装置の小型化に効果がある。
【図面の簡単な説明】
【図１】本発明の自動取引システム全体の構成図である。
【図２】本発明の通帳表紙部に添付する非接触式記憶媒体のデータ構成図である。
【図３】本発明の各取引ページ部に添付する非接触式記憶媒体のデータ構成図である。
【図４】本発明で用いる非接触式記憶媒体付通帳の表紙部の図である。
【図５】本発明で用いるの非接触式記憶媒体付通帳の取引ページ部の図である。
【図６】本発明の自動取引装置の概観図である。
【図７】本発明の一実施例を示す発行処理フロー図である。
【符号の説明】
１…自動取引装置、２…窓口端末、３…中央処理装置、６２…通帳印字部、６３…非接触式記憶媒体リーダライタ部、６４…通帳挿入口、６５…通帳搬送炉、６６…通帳排出口、６７…通帳収納部、６８…通信部、Ａ…下位側ネットワーク、Ｂ…上位側ネットワーク、Ｃ…ネットワーク。
【図１】
2004062703.tif 000003
【図２】
2004062703.tif 000004
【図３】
2004062703.tif 000005
【図４】
2004062703.tif 000006
【図５】
2004062703.tif 000007
【図６】
2004062703.tif 000008
【図７】
2004062703.tif 000009